【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
第一の方向及び該第一の方向に直交する第二の方向にそれぞれ複数の導体が配置された導体パターンと、
前記第一の方向に配置された導体に送信信号を供給する送信信号供給回路と、
該送信信号供給回路から出力された送信信号を前記第一の方向に配置された複数の導体のうちの所定の導体に供給する第一の導体選択回路と、
第一及び第二の入力端子を有し、該第一及び第二の入力端子に入力された信号を差動増幅して出力する差動増幅回路と、
前記第二の方向に配置された複数の導体のうちから互いに近傍に位置する少なくとも三つの導体を含む複数の導体を選択し、該選択し複数の導体のうち両端側に位置する導体からの信号を前記差動増幅回路の前記第一の入力端子に供給し、前記両端側に位置する導体を除く他の導体からの信号を前記差動増幅回路の前記第二の入力端子に供給する第二の選択回路と、
を備える位置検出装置。
【請求項２】
上記導体パターンにおける前記第二の方向に配置された導体は、互いに近傍に位置する少なくとも三つの導体で一単位を構成し、
前記第二の導体選択回路によって前記一単位毎に前記差動増幅回路に信号を供給するようにした、
請求項１に記載の位置検出装置。
【請求項３】
前記第二の方向に配置された複数の導体は、隣接する少なくとも三つの導体で一単位を構成するとともに、前記一単位を構成する少なくとも一の導体が前記一単位に隣接する単位に含んで構成されるようにした、
請求項１に記載の位置検出装置。
【請求項４】
前記選択された三つの導体は、両端側の電極の幅よりも該両端側の電極の間に位置する電極の幅を広くした、
請求項１記載の位置検出装置。
【請求項５】
第一の方向及び該第一の方向に直交する第二の方向にそれぞれ複数の導体が配置された導体パターンのうち、前記第一の方向に配置された導体に送信信号を供給するための送信信号供給回路と、
該送信信号生成回路から出力された送信信号を前記第一の方向に配置された複数の導体のうちから所定の導体に供給するための第一の導体選択回路と、
前記第二の方向に配置された複数の導体のうちから所定の導体を選択するための第二の導体選択回路と、
第一及び第二の入力端子を有し、該第一及び第二の入力端子に入力された信号を差動増幅して出力するための差動増幅回路と、
を備え、
前記第二の導体選択回路によって前記導体パターンにおける互いに近傍に位置する少なくとも三つの導体を含む複数の導体が選択され、該選択された複数の導体のうち両端側に位置する導体からの信号を前記差動増幅回路の前記第一の入力端子に供給され、前記両端側に位置する導体を除く他の導体からの信号を前記差動増幅回路の前記第二の入力端子に供給されることで、前記導体パターンに対する接触に対応した信号を前記差動増幅回路から出力するようにした、
位置検出回路。
【請求項６】
前記第二の導体選択回路によって、上記導体パターンにおける互いに隣接する少なくとも三つの導体が選択され、該選択された三つの導体のうち両端側に位置する導体からの信号が前記差動増幅回路の前記第一の入力端子に供給され、該前記両端側に位置する導体からの信号が前記差動増幅回路の前記第二の入力端子に供給されることで、前記導体パターンに対する接触に対応した信号を前記差動増幅回路から出力するようにした、
請求項５に記載の位置検出回路。
【請求項７】
第一の方向に複数の導体が配置されると共に前記第一の方向に直交する第二の方向に複数の導体が配置された導体パターンの前記第一の方向に配置された導体に送信信号を供給する送信信号供給ステップと、
前記導体パターンの前記第一の方向に配置された所定の導体を選択して前記送信信号供給ステップによって生成された送信信号を選択的に供給するための第一の導体選択ステップと、
前記導体パターンの前記第二の方向に配置された互いに近傍に位置する少なくとも三つの導体を選択するための第二の導体選択ステップと、
前記第二の導体選択ステップによって選択された複数の導体のうち、両端側に位置する導体からの信号と、前記両端側に位置する導体を除く他の導体からの信号とを差動増幅して出力する差動増幅ステップと、
を備え、
前記導体パターンに対する接触に対応した信号を前記差動増幅ステップにて得るようにした、
位置検出方法。
【請求項８】
前記第二の導体選択ステップによって、互いに隣接する少なくとも三つの導体が選択され、該選択された三つの導体のうち両端側に位置する導体から出力される信号と、前記両端側に位置する導体を除く他の導体からの信号とを前記差動増幅ステップで差動増幅して出力するようにした、
請求項７に記載の位置検出方法。
【手続補正２】
【補正対象書類名】明細書
【補正対象項目名】００１０
【補正方法】変更
【補正の内容】
【００１０】
上記課題を解決するために、本発明の位置検出装置は、第一の方向及び該第一の方向に直交する第二の方向にそれぞれ複数の導体が配置された導体パターンと、第一の方向に配置された導体に送信信号を供給する送信信号供給回路と、該送信信号供給回路から出力された送信信号を第一の方向に配置された複数の導体のうちの所定の導体に供給する第一の導体選択回路と、第一及び第二の入力端子を有し、該第一及び第二の入力端子に入力された信号を差動増幅して出力する差動増幅回路と、第二の方向に配置された複数の導体のうちから互いに近傍に位置する少なくとも三つの導体を含む複数の導体を選択し、該選択し複数の導体のうち両端側に位置する導体からの信号を差動増幅回路の第一の入力端子に供給し、両端側に位置する導体を除く他の導体からの信号を差動増幅回路の第二の入力端子に供給する第二の選択回路と、を備える。
【手続補正３】
【補正対象書類名】明細書
【補正対象項目名】００３４
【補正方法】変更
【補正の内容】
【００３４】
位置検出装置６０１は、信号供給回路６０２と、送信電極選択スイッチ６０３と、受信電極選択スイッチ６０４と、アナログ信号処理部６０５と、Ａ／Ｄ変換器６０６と、制御部６０７と、複数の送信電極３０４及び受信電極３０３とからなるマトリクス電極６１９とから構成される。
信号供給回路６０２は交流信号を送信電極３０４に与える回路である。
送信電極選択スイッチ６０３は、後述する制御部６０７の制御により信号供給回路６０２が生成した交流電圧信号を、送信電極３０４を構成する各電極に順番に印加するスイッチである。
受信電極選択スイッチ６０４は、後述する制御部６０７の制御により受信電極３０３を構成する各電極を後段のアナログ信号処理部６０５に順番に接続するスイッチである。
この受信電極選択スイッチ６０４の後続にはアナログ信号処理部６０５が接続され、受信電極選択スイッチ６０４を通じて検出した微弱な電流信号を大きな電圧信号に変換して出力する。
【手続補正４】
【補正対象書類名】明細書
【補正対象項目名】００３８
【補正方法】変更
【補正の内容】
【００３８】
差動増幅器４０６の出力信号は、同期検波器７０３に入力される。
同期検波器７０３は、例えば、周知のオペアンプからなるアナログ乗算器である。この同期検波器７０３には、信号供給回路６０２から入力されたサイン波電圧信号（検波信号）と差動増幅器４０６の出力信号とが入力される。そして、この同期検波器７０３は、差動増幅器４０６からの出力信号を同期検波して出力する。この同期検波器７０３から出力された信号は、積分器７０７に入力される。
積分器７０７は、オペアンプ７０４とコンデンサＣ７０５とから構成される。この積分器７０７には、リセットスイッチ７０６が接続されている。
リセットスイッチ７０６は、制御部６０７の制御によりオン・オフ制御されるスイッチで、コンデンサＣ７０５と並列に接続されている。そして、このリセットスイッチ７０６のオン・オフにより、コンデンサＣ７０５に電荷が充放電されるようになっている。
そして、同期検波器７０３から出力された信号は、この積分器７０７において積分処理されて出力される。
【手続補正５】
【補正対象書類名】明細書
【補正対象項目名】００４０
【補正方法】変更
【補正の内容】
【００４０】
次に、制御部６０７の構成と動作とを図８に従って説明する。ここで、図８は、制御部６０７のブロック図である。この制御部６０７は、タイミング信号生成部８０２と、送信電極アドレスカウンタ８０３と、バッファメモリ８０４と、受信電極アドレスカウンタ８０５と、重心演算部８０６とから構成される。
タイミング信号生成部８０２は、信号供給回路６０２とアナログ信号処理部６０５とＡ／Ｄ変換器６０６に、それぞれタイミング信号を出力すると共に、送信電極アドレスカウンタ８０３にクロックを供給する。
送信電極アドレスカウンタ８０３は、タイミング信号生成部８０２から供給されるクロックを計数し、この計数値を送信電極側アドレスとして送信電極選択スイッチ６０３とバッファメモリ８０４に供給する。
送信電極アドレスカウンタ８０３は送信電極３０４の数と同数の最大値まで計数できるカウンタであり、計数値が送信電極３０４の数、すなわち最大値を超えると１に戻るループカウンタを構成している。そして、この送信電極アドレスカウンタ８０３は、最大値から更に係数を進めて１に戻る際、オーバーフロービットが１になる。このオーバーフロービットが出力されて、受信電極アドレスカウンタ８０５に供給される。